(57)【要約】【課題】既設のＴＶ端子を交換せずに、高速な宅内ネットワーク環境を構築可能とすること。【解決手段】壁面に設置されるタイプのＴＶ端子の所定の既存規格寸法に準拠した形状を有し、  ＴＶアンテナに接続された同軸ケーブルに接続される既設のＴＶ端子のＴＶアンテナ端子６に、接続可能なＴＶアンテナ端子３と、  通信コネクタ４と、  前記ＴＶアンテナ端子３に接続され、同軸通信機能を有する同軸通信処理機能部と、  前記通信コネクタ４に接続され、通信コネクタ通信処理機能を有するコネクタ通信処理機能部と、  前記同軸通信処理機能部及び前記コネクタ通信処理機能部同士のデータの転送を行うデータ転送機能部と、  を備えた、ＴＶ端子埋め込み型通信機器であって、既存のＴＶアンテナ端子６を除去する事無く、高速宅内ネットワークを構築できる。【選択図】図２
2006135944.tif 000002
【特許請求の範囲】
【請求項１】
壁面に設置されるタイプのＴＶ端子の所定の既存規格寸法に準拠した形状を有し、
ＴＶアンテナに接続された同軸ケーブルに接続される既設のＴＶ端子のＴＶアンテナ端子に、接続可能なＴＶアンテナ端子と、
通信コネクタ端子と、
前記接続可能なＴＶアンテナ端子に接続され、同軸通信機能を有する同軸通信処理機能部と、
前記通信コネクタ端子に接続され、通信コネクタ通信処理機能を有するコネクタ通信処理機能部と、
前記同軸通信処理機能部及び前記コネクタ通信処理機能部同士のデータの転送を行うデータ転送機能部と、
を備えた、ＴＶ端子埋め込み型通信機器。
【請求項２】
前記ＴＶ端子埋め込み型通信機器用の電源が、前記ＴＶアンテナ端子又は前記通信コネクタ端子に接続される機器から供給される、請求項１記載のＴＶ端子埋め込み型通信機器。
【請求項３】
前記ＴＶ端子埋め込み型通信機器用の電源供給端子を備えた、請求項１記載のＴＶ端子埋め込み型通信機器。
【請求項４】
内部に前記ＴＶ端子埋め込み型通信機器用のバッテリー部を備えた、請求項１記載のＴＶ端子埋め込み型通信機器。
【請求項５】
前記バッテリー部からの電源供給を制御するスイッチ部を備えた、請求項４記載のＴＶ端子埋め込み型通信機器。
【請求項６】
前記同軸通信処理機能部が、他場所に設置された前記同軸通信機能を持つ通信機器の前記同軸通信処理機能部とリンクしたことを示す表示部を備えた、請求項１記載のＴＶ端子埋め込み型通信機器。
【請求項７】
壁面に設置されるタイプのＴＶ端子の所定の既存規格寸法に準拠しない形状を有し、
ＴＶアンテナに接続された同軸ケーブルに接続される既設のＴＶ端子のＴＶアンテナ端子に、接続可能なフレキシブルな部分を持つＴＶアンテナ端子と、
通信コネクタ端子と、
前記接続可能なＴＶアンテナ端子に接続され、同軸通信機能を有する同軸通信処理機能部と、
前記通信コネクタ端子に接続され、通信コネクタ通信処理機能を有するコネクタ通信処理機能部と、
前記同軸通信処理機能部及び前記コネクタ通信処理機能部同士のデータの転送を行うデータ転送機能部と、
を備えた、ＴＶ端子埋め込み型通信機器。
【請求項８】
壁面に設置されるタイプのＴＶ端子の所定の既存規格寸法に準拠した形状を有するＴＶ端子埋め込み型通信機器を使用する、通信方法であって、
ＴＶアンテナに接続された同軸ケーブルに接続される既設のＴＶ端子のＴＶアンテナ端子に、接続可能なＴＶアンテナ端子に接続され、同軸通信機能を有する同軸通信処理機能部を利用して、同軸通信処理を行う同軸通信処理ステップと、
通信コネクタ端子に接続され、通信コネクタ通信処理機能を有するコネクタ通信処理機能部を利用して、通信処理を行う通信処理ステップと、
前記同軸通信処理機能部及び前記コネクタ通信処理機能部同士のデータの転送を行うデータ転送機能部を利用して、データ転送を行うデータ転送ステップと、
を備えた、通信方法。
【請求項９】
壁面に設置されるタイプのＴＶ端子の所定の既存規格寸法に準拠しない形状を有するＴＶ端子埋め込み型通信機器を使用する、通信方法であって、
ＴＶアンテナに接続された同軸ケーブルに接続される既設のＴＶ端子のＴＶアンテナ端子に、接続可能なフレキシブルな部分を持つＴＶアンテナ端子に接続され、同軸通信機能を有する同軸通信処理機能部を利用して、同軸通信処理を行う同軸通信処理ステップと、
通信コネクタ端子に接続され、通信コネクタ通信処理機能を有するコネクタ通信処理機能部を利用して、通信処理を行う通信処理ステップと、
前記同軸通信処理機能部及び前記コネクタ通信処理機能部同士のデータの転送を行うデータ転送機能部を利用して、データ転送を行うデータ転送ステップと、
を備えた、通信方法。
【発明の詳細な説明】
【技術分野】
【０００１】
本発明は、同軸通信処理機能を有するＴＶ端子埋め込み型通信機器、および通信方法に関するものである。
【背景技術】
【０００２】
近年の通信形態の変化に合わせて、ＴＶ端子にスロットイン形式のスロット端子を設けて、構成の追加などを容易にする装置（特許文献１参照）があった。
【特許文献１】特開２００１−１１９６４６号公報
【発明の開示】
【発明が解決しようとする課題】
【０００３】
ところで、従来の装置を利用しようとすると、壁に取り付けられている既設のＴＶ端子をいったん外し、その場所に、新たにそのＴＶ端子とスロット端子を有する装置を取り付けることになり、既設のＴＶ端子は廃棄しなければならなかった。
【０００４】
また電源供給方法においても、壁面内部に工事が必要であり、施工に関して費用が発生する。
【０００５】
また使用する周波数帯が低いため、大容量の通信インフラを必要とする近年の通信利用状況には適していない。
【０００６】
本発明は、このような従来の装置の課題を考慮し、既設のＴＶ端子を交換せずに、あらたな通信装置を設定できる、ＴＶ端子埋め込み型通信機器、および通信方法を提供することを目的とするものである。
【課題を解決するための手段】
【０００７】
第１の本発明は、壁面に設置されるタイプのＴＶ端子の所定の既存規格寸法に準拠した形状を有し、
ＴＶアンテナに接続された同軸ケーブルに接続される既設のＴＶ端子のＴＶアンテナ端子に、接続可能なＴＶアンテナ端子と、
通信コネクタ端子と、
前記接続可能なＴＶアンテナ端子に接続され、同軸通信機能を有する同軸通信処理機能部と、
前記通信コネクタ端子に接続され、通信コネクタ通信処理機能を有するコネクタ通信処理機能部と、
前記同軸通信処理機能部及び前記コネクタ通信処理機能部同士のデータの転送を行うデータ転送機能部と、
を備えた、ＴＶ端子埋め込み型通信機器である。
【０００８】
第２の本発明は、前記ＴＶ端子埋め込み型通信機器用の電源が、前記ＴＶアンテナ端子又は前記通信コネクタ端子に接続される機器から供給される、第１の本発明のＴＶ端子埋め込み型通信機器である。
【０００９】
第３の本発明は、前記ＴＶ端子埋め込み型通信機器用の電源供給端子を備えた、第１の本発明のＴＶ端子埋め込み型通信機器である。
【００１０】
第４の本発明は、内部に前記ＴＶ端子埋め込み型通信機器用のバッテリー部を備えた、第１の本発明のＴＶ端子埋め込み型通信機器である。
【００１１】
第５の本発明は、前記バッテリー部からの電源供給を制御するスイッチ部を備えた、第４の本発明のＴＶ端子埋め込み型通信機器である。
【００１２】
第６の本発明は、前記同軸通信処理機能部が、他場所に設置された前記同軸通信機能を持つ通信機器の前記同軸通信処理機能部とリンクしたことを示す表示部を備えた、第１の本発明のＴＶ端子埋め込み型通信機器である。
【００１３】
第７の本発明は、壁面に設置されるタイプのＴＶ端子の所定の既存規格寸法に準拠しない形状を有し、
ＴＶアンテナに接続された同軸ケーブルに接続される既設のＴＶ端子のＴＶアンテナ端子に、接続可能なフレキシブルな部分を持つＴＶアンテナ端子と、
通信コネクタ端子と、
前記接続可能なＴＶアンテナ端子に接続され、同軸通信機能を有する同軸通信処理機能部と、
前記通信コネクタ端子に接続され、通信コネクタ通信処理機能を有するコネクタ通信処理機能部と、
前記同軸通信処理機能部及び前記コネクタ通信処理機能部同士のデータの転送を行うデータ転送機能部と、
を備えた、ＴＶ端子埋め込み型通信機器である。
【００１４】
第８の本発明は、壁面に設置されるタイプのＴＶ端子の所定の既存規格寸法に準拠した形状を有するＴＶ端子埋め込み型通信機器を使用する、通信方法であって、
ＴＶアンテナに接続された同軸ケーブルに接続される既設のＴＶ端子のＴＶアンテナ端子に、接続可能なＴＶアンテナ端子に接続され、同軸通信機能を有する同軸通信処理機能部を利用して、同軸通信処理を行う同軸通信処理ステップと、
通信コネクタ端子に接続され、通信コネクタ通信処理機能を有するコネクタ通信処理機能部を利用して、通信処理を行う通信処理ステップと、
前記同軸通信処理機能部及び前記コネクタ通信処理機能部同士のデータの転送を行うデータ転送機能部を利用して、データ転送を行うデータ転送ステップと、
を備えた、通信方法である。
【００１５】
第９の本発明は、壁面に設置されるタイプのＴＶ端子の所定の既存規格寸法に準拠しない形状を有するＴＶ端子埋め込み型通信機器を使用する、通信方法であって、
ＴＶアンテナに接続された同軸ケーブルに接続される既設のＴＶ端子のＴＶアンテナ端子に、接続可能なフレキシブルな部分を持つＴＶアンテナ端子に接続され、同軸通信機能を有する同軸通信処理機能部を利用して、同軸通信処理を行う同軸通信処理ステップと、
通信コネクタ端子に接続され、通信コネクタ通信処理機能を有するコネクタ通信処理機能部を利用して、通信処理を行う通信処理ステップと、
前記同軸通信処理機能部及び前記コネクタ通信処理機能部同士のデータの転送を行うデータ転送機能部を利用して、データ転送を行うデータ転送ステップと、
を備えた、通信方法である。
【発明の効果】
【００１６】
本発明のＴＶ端子埋め込み型通信機器は、以上のような特徴を持つことにより、宅内に既設のＴＶ端子にＴＶ端子埋め込み型通信機器を嵌め込むだけで、容易に高速宅内ネットワーク環境を構築することができる。
【００１７】
また、従来同軸通信機器を設置する場合に必要であった同軸通信機器の設置スペースをなくすことができる。
【００１８】
また、ＴＶ端子埋め込み型通信機器の各端子に接続された機器からＴＶ端子埋め込み型通信機器の電源を供給することにより、ＴＶ端子の裏面（壁面内部）での電源供給工事が不要になる。
【００１９】
また、端子に接続された機器に電源を供給する機能がない場合においても、ＴＶ端子埋め込み型通信機器に電源供給端子を持つことで、ＴＶ端子埋め込み型通信機器に電源を供給することができる。
【００２０】
また、バッテリー部を持つことで、各端子に接続される接続機器に電源供給機能が無く、壁面や壁面内部などの電源環境が近くに無くともＴＶ端子埋め込み型通信機器へ電源の供給を行うことができる。
【００２１】
また、スイッチ機能を持つことでバッテリー部の電源の効率利用が可能になる。
【００２２】
また、リンク判別機能を持つことで、ＴＶ端子埋め込み型通信機器の挙動が視覚的に容易に判定できるため、不具合等への対応が可能となる。
【００２３】
さらに、所定の規格寸法に関わらず、あらゆる既設のＴＶ端子に対して接続可能となる。
【発明を実施するための最良の形態】
【００２４】
以下、本発明の実施の形態について図面を参照しながら説明する。
【００２５】
（実施の形態１）
図１〜図３、図９、図１０に本発明の実施の形態１の構成図を示す。
【００２６】
ＴＶ端子埋め込み型通信機器２は、住宅に既設の所定の規格寸法に準拠した形状のＴＶ端子１と同じ寸法、形状である。既設のＴＶ端子１は、図１に示すように蓋５と、ＴＶ端子本体８とから構成されている。図９はハード的に全体の構成を示す図であり、図１０は電気回路的に全体の構成を示す図である。なお１００は同軸ケーブル、２００は壁である。
【００２７】
また、図２および図３に示すようにＴＶ端子埋め込み型通信機器２は、ＴＶアンテナ端子３、通信コネクタ４、同軸通信処理機能部９と、通信コネクタ通信処理機能部１０と、データ転送機能部１１を持つ。
【００２８】
また、図９、図１０に示すように、アンテナ１０２から配線された同軸ケーブル１００は分配器１０１によりそれぞれの既設のＴＶアンテナ端子６へ接続され、さらに、そのＴＶアンテナ端子６は次に説明するようにして本実施の形態１のＴＶアンテナ端子３へ接続されている。
【００２９】
また、同軸通信処理機能部９は、そのＴＶアンテナ端子３，６に接続されていると共に、高周波成分をフィルタリングして通信信号を取り出し、データ転送機能部１１へ送り出す。そのデータ転送機能部１１は送られてきたデータを通信コネクタ通信処理機能部１０へ送る。通信コネクタ通信処理機能部１０は、通信コネクタ４に接続されているＬＡＮなどに接続されている機器へデータを送り出す。
【００３０】
逆に、通信コネクタ４に接続される機器から送られてきたデータは、通信コネクタ４，通信コネクタ通信処理機能部１０、データ転送機能部１１，そして同軸通信処理機能部９の順に送られていく。同軸通信処理機能部９は、同軸ケーブル１００を通じて、他のＴＶ端子埋め込み型通信機器２へデータを送り互いに通信を行う。
【００３１】
ＴＶ端子埋め込み型通信機器２を既設のＴＶ端子１に取り付ける手順は以下のようになる。
【００３２】
１．図２に示すように、既設ＴＶ端子１の蓋５を外す。
【００３３】
２．図２、図３に示すように、ＴＶ端子埋め込み型通信機器２のＴＶアンテナ端子３、１２を既設のＴＶアンテナ端子６に嵌め込む。
【００３４】
３．図２、図３に示すように、ＴＶ端子埋め込み型通信機器２のツメ１３を既設のＴＶ端子１のツメ受け７に嵌める。
【００３５】
ＴＶ端子埋め込み型通信機器２は、規格寸法に準拠した形状であるため、既設のＴＶ端子１の蓋５を外した状態のＴＶ端子本体８のツメ受け７に、ツメ１３を嵌め込むことが可能なようになっている。
【００３６】
また、図９、図１０に示すように、他の場所にある既設のＴＶ端子１に、上記手順と同様にＴＶ端子埋め込み型通信機器２を設置することにより、互いに同軸ケーブル１００を利用した高速な宅内ネットワーク環境を構築することができる。
【００３７】
なお、他の場所に設置される同軸通信機能を持つ通信機器は、設置される通信機器が、同軸通信機能を持っていれば、必ずしも本発明のＴＶ端子埋め込み型通信機器２でなくとも良いことは言うまでもない。
【００３８】
また、ＴＶ端子埋め込み型通信機器２を既設ＴＶ端子１に嵌め込むことによって、同軸通信機器を設置する際に必要であった設置スペースを省略することができる。
【００３９】
（実施の形態２）
図４に本発明の実施の形態２の構成図を示す。
【００４０】
実施の形態１の設置方法により、ＴＶ端子埋め込み型通信機器２が、既設のＴＶ端子１に取り付けられている状態で以下の説明を行う。
【００４１】
ＴＶ端子埋め込み型通信機器２のＴＶアンテナ端子３にはビデオ１４が同軸ケーブル１５で接続されている。さらに、この接続されているビデオ１４はアンテナへの電源供給機能を備えている。
【００４２】
ここでは、接続されている機器をビデオ１４と仮定したが、アンテナへの電源供給機能を備えているものであれば構わないことは言うまでもない。
【００４３】
ＴＶ端子埋め込み型通信機器２は、自身のＴＶアンテナ端子３に接続されているビデオ１４からのアンテナへの電源供給機能を利用して、ＴＶ端子埋め込み型通信機器２の電源を供給する。
【００４４】
自身のＴＶアンテナ端子３に接続されたビデオ１４からＴＶ端子埋め込み型通信機器２の電源を供給することにより、従来必要であった壁面内部での電源を供給する施工工事が不要となり、設置コストがかからない。
【００４５】
また上記ではＴＶアンテナ端子３に機器が接続された場合を記述したが、ＴＶ端子埋め込み型通信機器２の通信コネクタ４に通信ケーブル１６が接続されている通信機器１７が電源供給機能を持っていれば、通信機器１７からＴＶ端子埋め込み型通信機器２への電源を供給することも可能である。
【００４６】
この場合は、電源供給施工工事が不要になる他、通信コネクタ４に接続された通信機器１７に電源が入っている場合（つまり、ネットワーク環境を利用する時）にのみＴＶ端子埋め込み型通信機器２へ電源を供給することになるため、電源の利用が効率的になる。
【００４７】
（実施の形態３）
図５、図６に本発明の実施の形態３の構成図を示す。
【００４８】
実施の形態１の設定方法により、ＴＶ端子埋め込み型通信機器２が、既設のＴＶ端子１に取り付けられている状態で以下の説明を行う。
【００４９】
図５に示されるＴＶ端子埋め込み型通信機器２は、電源差し込み口１８を持っており、既設の電源コンセント１９より、電源コード２０で接続することでＴＶ端子埋め込み型通信機器２への電源を供給する。
【００５０】
既設の電源コンセント１９から電源コード２０でＴＶ端子埋め込み型通信機器２の電源差し込み口１８に接続することで、ＴＶ端子埋め込み型通信機器２に電源を供給することができ、壁面内部で電源供給施工工事をせずに、ＴＶ端子埋め込み型通信機器２へ電源を供給することができる。その結果、ＴＶ端子埋め込み型通信機器２に接続される通信機器に電源供給機能が無い場合にもＴＶ端子埋め込み型通信機器２に電源を供給することが可能になる。
【００５１】
なお、ここではＴＶ端子埋め込み型通信機器２に電源差し込み口１８を持っていると記述したが、ＴＶ端子埋め込み型通信機器２に電源供給を行うことのできる端子（例えば電源ジャック）でも良いことは言うまでもない。
【００５２】
（実施の形態４）
図７に本発明の実施の形態４の構成図を示す。
【００５３】
実施の形態１の設定方法により、ＴＶ端子埋め込み型通信機器２が、既設のＴＶ端子１に取り付けられている状態で以下の説明を行う。
【００５４】
図７に示されるＴＶ端子埋め込み型通信機器２は、バッテリー部２１を持っており、ＴＶ端子埋め込み型通信機器２の電源の供給をバッテリー部２１から行う。
【００５５】
自身のバッテリー部２１から電源を供給することにより、既設ＴＶ端子１の近くに電源コンセント１９が無い場合や、各端子に接続される接続機器に電源供給機能が無くともＴＶ端子埋め込み型通信機器２へ電源の供給を行うことができ、またバッテリー部２１から電源を供給することにより、壁面内部で電源供給施工工事をせずに、ＴＶ端子埋め込み型通信機器２へ電源を供給することが可能となる。
【００５６】
なお、バッテリー部２１とは乾電池、充電機能付電池など、電源を供給することが可能であれば良いことは言うまでもない。
【００５７】
（実施の形態５）
図８（Ａ）に本発明の実施の形態５の構成図を示す。
【００５８】
実施の形態４の設定方法により、バッテリー部２１を持つＴＶ端子埋め込み型通信機器２が、既設のＴＶ端子１に取り付けられている状態で以下の説明を行う。
【００５９】
図８に示されるＴＶ端子埋め込み型通信機器２には、上記実施の形態２、３、４で説明した形態で、ＴＶ端子埋め込み型通信機器２への電源供給を入切するスイッチ機能部２２を持つ。
【００６０】
スイッチ機能部２２を持つことによって、ＴＶ端子埋め込み型通信機器２への電源供給を制御できるため、同軸通信機能を利用する場合にスイッチ機能部２２をオンにし、同軸通信機器を利用しない場合にスイッチ機能部２２をオフとすることで、ＴＶ端子埋め込み型通信機器２への電源供給を効率的に利用することができる。
【００６１】
（実施の形態６）
図８（Ｂ）に本発明の実施の形態６の構成図を示す。
【００６２】
実施の形態１の設定方法により、ＴＶ端子埋め込み型通信機器２が、既設のＴＶ端子１に取り付けられている状態で説明を行う。
【００６３】
図８に示されるＴＶ端子埋め込み型通信機器２には、同軸通信処理機能部９が他の場所に設置された同軸通信機器とリンクしたかどうかを判別し、本発明の表示部の一例であるＬＥＤ２３にその結果を表示させる機能を持つ。同軸通信処理機能部９がリンクした場合にＬＥＤ２３を点灯させ、リンクしていない場合は、ＬＥＤ２３を点灯させない。その判別は同軸通信処理機能部９が行う。
【００６４】
このようにリンク表示手段を持つことによって、ＴＶ端子埋め込み型通信機器２の挙動が視覚的に容易に判定できるため、不具合等への対応が可能である。
【００６５】
なお、ここではリンク判別手段をＬＥＤ２３の点滅点灯としたが、リンクしたかどうかがわかるような手段であれば他の方法でも良いことは言うまでもない。
【００６６】
（実施の形態７）
次に本発明の実施の形態７を説明する。本実施の形態７におけるＴＶ端子埋め込み型通信機器２４は、既設のＴＶ端子１の所定の規格寸法に準拠していなくとも、既設のＴＶ端子１に接続可能な構造をしている。
【００６７】
すなわち、図１１に示すように、このＴＶ端子埋め込み型通信機器２４は、ＴＶアンテナ端子３、通信コネクタ４、同軸通信処理機能部９と、通信コネクタ通信処理機能部１０と、データ転送機能部１１と、フレキシブルな裏面ＴＶアンテナ端子２５とを持ち、フレキシブルな裏面ＴＶアンテナ端子２５が、既設のＴＶアンテナ端子６へ接続するだけの設置となる。
【００６８】
つまり、図１１に示すように、所定の規格寸法に準拠していないＴＶ端子埋め込み型通信機器２４と既設のＴＶ端子１は、既設のＴＶ端子１の蓋５を外さずに、ＴＶ端子埋め込み型通信機器２４の裏面ＴＶアンテナ端子２５と既設のＴＶアンテナ端子６の部分だけで接続される。これは、既設のＴＶアンテナ端子６が複数ある場合などに有用である。
【００６９】
本実施の形態７の、所定の規格寸法に準拠していないＴＶ端子埋め込み型通信機器２と既設のＴＶ端子１との接続方法は、既設のＴＶ端子１の蓋５を外して設置されても、ＴＶ端子埋め込み型通信機器２のＴＶアンテナ端子１２と既設のＴＶ端子のＴＶアンテナ端子６とが接続されていれば特に問わない。なお、既設のＴＶ端子１の寸法と異なった形状・大きさはどのようなものでもよいことは言うまでもない。
【００７０】
所定の規格寸法に準拠しない形状のＴＶ端子埋め込み型通信機器２は、あらゆるＴＶ端子１に接続可能になる。
【００７１】
以上、実施の形態１乃至７を説明したが、本発明としては、通信コネクタの種類（例えば、ＩＥＥＥ１３９４、Ｄ端子、ＵＳＢなど）は問わない。また、ＴＶ端子埋め込み型通信機器には、複数のＴＶアンテナ端子、複数の通信コネクタを有しても構わないことは言うまでもない。また、ＴＶ端子が設置されているある場所を住宅としたが、場所はどこでも構わないことも言うまでもない。
【産業上の利用可能性】
【００７２】
本発明によれば、既設のＴＶ端子を利用した高速宅内ネットワークの構築に適用できる。
【図面の簡単な説明】
【００７３】
【図１】本発明の実施の形態１の既設のＴＶ端子の構成図
【図２】本発明の実施の形態１のＴＶ端子埋め込み型通信機器と、既設ＴＶ端子の蓋を外した図
【図３】本発明の実施の形態１のＴＶ端子埋め込み型通信機器の側面図と、裏面図
【図４】本発明の実施の形態２のＴＶ端子埋め込み型通信機器にビデオと通信機器が接続された場合の構成図
【図５】本発明の実施の形態３のＴＶ端子埋め込み型通信機器が電源差し込み口を持っている場合の構成図
【図６】本発明の実施の形態３の電源差し込み口を持っているＴＶ端子埋め込み型通信機器と既設電源コンセントが電源ケーブルで接続されている場合の構成図
【図７】本発明の実施の形態４のバッテリー部を持っているＴＶ端子埋め込み型通信機器の側面図と、裏面図
【図８】（Ａ）本発明の実施の形態５のスイッチ機能を持ったＴＶ端子埋め込み型通信機器と、リンク判別機能を持ったＴＶ端子埋め込み型通信機器の構成図、（Ｂ）本発明の実施の形態６のスイッチ機能を持ったＴＶ端子埋め込み型通信機器と、リンク判別機能を持ったＴＶ端子埋め込み型通信機器の構成図
【図９】本発明の実施の形態１乃至６の構造図
【図１０】本発明の実施の形態１乃至６の電気回路図
【図１１】本発明の実施の形態７を説明するためのＴＶ端子埋め込み型通信機器の構成図
【符号の説明】
【００７４】
１  既設のＴＶ端子
２  ＴＶ端子埋め込み型通信機器
３  ＴＶ端子埋め込み型通信機器のＴＶアンテナ端子
４  ＴＶ端子埋め込み型通信機器の通信コネクタ
５  既設ＴＶ端子の蓋
６  既設ＴＶ端子のＴＶアンテナ端子
７  既設ＴＶ端子のツメ受け口
８  蓋を外した既設ＴＶ端子
９  ＴＶ端子埋め込み型通信機器の同軸通信処理機能部
１０  ＴＶ端子埋め込み型通信機器の通信コネクタ通信処理機能部
１１  ＴＶ端子埋め込み型通信機器のデータ転送機能部
１２  既設ＴＶ端子のＴＶアンテナ端子に接続される、ＴＶ端子埋め込み型通信機器のＴＶアンテナ端子
１３  ＴＶ端子埋め込み型通信機器のツメ
１４  ビデオ
１５  同軸ケーブル
１６  通信ケーブル
１７  通信機器
１８  電源差し込み口
１９  既設電源コンセント
２０  電源ケーブル
２１  ＴＶ端子埋め込み型通信機器のバッテリー部
２２  ＴＶ端子埋め込み型通信機器のスイッチ機能部
２３  ＴＶ端子埋め込み型通信機器のリンク表示部
２４  所定規格寸法に準拠しないＴＶ端子埋め込み型通信機器
２５  所定規格寸法に準拠しないＴＶ端子埋め込み型通信機器の裏面ＴＶ端子
１００  同軸ケーブル
１０１  分配器
１０２  アンテナ
２００  壁
【図１】
2006135944.tif 000003
【図２】
2006135944.tif 000004
【図３】
2006135944.tif 000005
【図４】
2006135944.tif 000006
【図５】
2006135944.tif 000007
【図６】
2006135944.tif 000008
【図７】
2006135944.tif 000009
【図８】
2006135944.tif 000010
【図９】
2006135944.tif 000011
【図１０】
2006135944.tif 000012
【図１１】
2006135944.tif 000013